(57)【特許請求の範囲】
【請求項１】
天板と、前記天板に対して起立している立上部と、前記天板の上方空間を区画する仕切板と、を備えており、
前記立上部は、当該立上部の長手方向延在面に、少なくとも１つの開口を有しており、
前記仕切板には、前記開口に挿入可能な複数の突起が前記立上部の長手方向に設けられており、さらに、
前記仕切板が高さ方向に厚さを有する偏平な形状のベースを備え、前記複数の突起が前記ベースに設けられている、仕切板付き天板。
【請求項２】
前記立上部は、複数の前記開口を有しているものであって、当該複数の前記開口は、前記立上部の長手方向に間隔を置いて配置されている、請求項１に記載された仕切板付き天板。
【請求項３】
前記立上部は、１つの前記開口を有しているものであって、当該１つの前記開口は、前記立上部の長手方向に延在している、請求項１に記載された仕切板付き天板。
【請求項４】
前記立上部は、前記天板に設けられている本体と、前記本体に対して取り付けられている取付部材と、によって構成されているものあって、前記開口は、前記取付部材に形成されている、請求項１〜３のいずれか１項に記載された仕切板付き天板。
【請求項５】
前記開口は、前記立上部に形成されている、請求項１〜３のいずれか１項に記載された仕切板付き天板。
【請求項６】
前記仕切板を前記天板に対して位置決めするための、位置決め具を更に備えている、請求項１〜５のいずれか１項に記載された仕切板付き天板。
【発明の詳細な説明】
【技術分野】
【０００１】
本発明は、仕切板付き天板に関する。
【背景技術】
【０００２】
従来の仕切板付き天板としては、天板と、前記天板の上方空間を区画するスクリーンパネル（仕切板）と、当該スクリーンパネルを支持するスクリーン台と、コの字型をなすスクリーン取付部材と、雄ネジ部材と、を備えるものがある（例えば、特許文献１参照。）。
【先行技術文献】
【特許文献】
【０００３】
【特許文献１】特許第４１６８９１４号公報
【発明の概要】
【発明が解決しようとする課題】
【０００４】
しかしながら、上記従来の仕切板付き天板は、雄ネジ部材を用いた緊締が必須であることから、仕切板の移設などの作業が煩雑であった。
【０００５】
本発明の目的は、天板に対して容易に、仕切板の設置及び移設が可能な、仕切板付き天板を提供することである。
【課題を解決するための手段】
【０００６】
本発明に係る、仕切板付き天板は、天板と、前記天板に対して起立している立上部と、前記天板の上方空間を区画する仕切板と、を備えており、前記立上部は、当該立上部の長手方向延在面に、少なくとも１つの開口を有しており、前記仕切板には、前記開口に挿入可能な突起が設けられている。
【０００７】
本発明において、「少なくとも１つの開口を有している」とは、立上部が複数の部材によって形成されており、当該複数の部材の１つに、少なくとも１つの開口が形成されている場合と、立上部が１つの部材（単一の部材）によって形成されており、当該１つの部材に少なくとも１つの開口が形成されている場合との両方を含む。また、本発明において、「天板」は、テーブルに採用される天板、机に採用される天板、棚に採用される天板を含む。本明細書中において、「テーブル」という用語は、主として「飲食」を目的に使用される家具を意味する。また、本明細書中において、「机」という用語は、主として「事務作業」を目的に使用される家具を意味する。ただし、本発明に係る「天板」は、「飲食」及び「事務作業」の両方に用いることができる。また、本発明によれば、「天板」という用語は、家具などの最上部にある板に限定されない。例えば、棚に棚板が複数ある場合、最上部にある棚板以外の、棚板も、本発明に係る「天板」に含まれる。また、「家具」という用語は、家庭用家具、オフィス用家具（オフィス、飲食店、コンビニエンスストアなどの、営業を目的に使用される家具に限定されることなく、図書館、自習室に使用される家具を含む。）の両方の意味を含む。
【０００８】
本発明に係る、仕切板付き天板において、前記立上部は、複数の前記開口を有しているものであって、当該複数の前記開口は、前記立上部の長手方向に間隔を置いて配置されているものとすることができる。
【０００９】
本発明に係る、仕切板付き天板において、前記立上部は、１つの前記開口を有しているものであって、当該１つの前記開口は、前記立上部の長手方向に延在しているものとすることができる。
【００１０】
本発明に係る、仕切板付き天板において、前記立上部は、前記天板に設けられている本体と、前記本体に対して取り付けられている取付部材と、によって構成されているものあって、前記開口は、前記取付部材に形成されているものとすることができる。
【００１１】
本発明に係る、仕切板付き天板において、前記開口は、前記立上部に形成されているものとすることができる。
【発明の効果】
【００１２】
本発明によれば、天板に対して、容易かつ簡単に仕切板の設置及び移設が可能な、仕切板付き天板を提供することができる。
【図面の簡単な説明】
【００１３】
【図１】本発明の第１実施形態に係る仕切板付き天板が採用されたテーブルを、手前側上方から示す斜視図である。
【図２】図１のテーブルから、天板及び立上部のみを取り出して、当該立上部に開口を設ける方法の一例とともに、当該天板及び立上部を手前側上方から示す斜視図である。
【図３】図１の仕切板付き天板を、長手方向一方側から示す側面図である。
【図４】図３の仕切板付き天板から、仕切板、第１位置決め具及び第２位置決め具のみを取り出して、手前側上方から示す斜視図である。
【図５】図１のテーブルの一部を手前側上方から拡大して示す斜視図である。
【図６】本発明の第２実施形態に係る仕切板付き天板を、長手方向一方側から示す側面図である。
【図７】図６の仕切板付き天板から、仕切板、第１位置決め具及び第２位置決め具のみを取り出して、手前側上方から示す斜視図である。
【図８】図６の仕切板付き天板の一部を手前側上方から拡大して示す斜視図である。
【図９】本発明の第３実施形態に係る仕切板付き天板を、長手方向一方側から示す側面図である。
【図１０】図９の仕切板付き天板から、仕切板、第１位置決め具及び第２位置決め具のみを取り出して、手前側上方から示す斜視図である。
【図１１】図９の仕切板付き天板の一部を手前側上方から拡大して示す斜視図である。
【図１２】本発明の第４実施形態に係る仕切板付き天板が採用されたテーブルを、当該テーブルの長手方向一方側の上側から示す斜視図である。
【図１３】本発明に係る立上部の、他の例を、図２に相当する状態で示す斜視図である。
【図１４】本発明に係る立上部の、さらに他の例を、図２に相当する状態で示す斜視図である。
【発明を実施するための形態】
【００１４】
以下、図面を参照して、本発明の様々な実施形態に係る、仕切板付き天板１について説明をする。
【００１５】
図１中、符号１０Ａは、本発明の第１実施形態に係る仕切板付き天板１Ａが採用されたテーブルである。以下、図１中、図面手前側を「手前側」とし、図面奥側を「奥側」とする。
【００１６】
本実施形態において、テーブル１０Ａは、仕切板付き天板１Ａ（例えば、飲食台）と、複数の脚１１と、を備えている。複数の脚１１はそれぞれ、仕切板付き天板１Ａを支持している。本実施形態では、各脚１１は、例えば、建物の床に固定されている。こうしたテーブル１０としては、例えば、イートインスペースに設置されたテーブルが挙げられる。なお、テーブル１０Ａの脚１１は、少なくとも１つとすることができる。また、脚１１は、床などに対して固定しなくてもよい。
【００１７】
仕切板付き天板１は、天板２と、天板２に対して起立している立上部３と、天板２の上方空間を区画する仕切板４と、を備えている。立上部３は、当該立上部３の長手方向延在面ｆ３に、少なくとも１つの開口を有している。本実施形態では、後述するように、立上部３が複数の部材によって形成された立上部３Ａであり、当該複数の部材の１つに複数の開口Ａ１が形成されている。
【００１８】
本実施形態では、天板２は、厚さを有した矩形形状の平板である。本実施形態では、天板２は、脚１１に対して、直接的又は間接的に固定されている。天板２は、当該天板２の厚さ方向が上下方向（高さ方向）となるように配置されている。本実施形態では、天板２の厚さ方向を仕切板付き天板１Ａの厚さ方向とする。
【００１９】
また、本実施形態では、天板２は、２つの長手方向延在端面ｅ２１と、２つの短手方向延在端面ｅ２２（図中、一方は省略されている。）と、を有している。長手方向延在端面ｅ２１は、長手方向に延在する、天板２の端面である。また、短手方向延在端面ｅ２２は、短手方向に延在する、天板２の端面である。前記矩形形状は、長手方向延在端面ｅ２１と、短手方向延在端面ｅ２２と、によって形作られている。本実施形態では、天板２の長手方向延在端面ｅ２１の延在方向（長手方向）は、仕切板付き天板１Ａの幅方向と一致し、また、短手方向延在端面ｅ２２の延在方向（短手方向）は、仕切板付き天板１Ａの奥行方向と一致する。
【００２０】
本実施形態では、天板２の上面ｆ２は、長手方向延在端面ｅ２１と、短手方向延在端面ｅ２２と、によって形作られている、平坦な面である。本実施形態では、天板２の上面ｆ２には、例えば、店内で購入した飲食品を載せ置くことができる。本実施形態では、天板２の上面ｆ２は、水平面であることが好ましい。
【００２１】
本実施形態では、立上部３は、天板２の長手方向に沿って延在している。立上部３は、天板２の、手前側と奥側とのいずれかの側に配置することができる。本実施形態では、立上部３は、天板２の奥側に配置されている。本実施形態では、仕切板付き天板１は、手前側には、人が位置し、奥側には、例えば、建物の壁（窓）が位置するように、構成されている。さらに、本実施形態では、立上部３は、平面視において、天板２の長手方向延在端面ｅ２１に対して平行になるように、当該天板２の上面ｆ２よりも上側に露出した長手方向延在面ｆ３を有している。本実施形態では、立上部３の長手方向延在面ｆ３は、長手方向に延在する、立上部３の端面（立上部３の長手方向延在端面）である。
【００２２】
本実施形態では、立上部３Ａは、上述のとおり、複数の部材によって形成されており、当該複数の部材の１つに複数の開口Ａ１が形成されている。具体的には、立上部３Ａは、天板２に設けられている本体３ａと、本体３ａに対して取り付けられている取付部材３ｂと、の２つの部材によって構成されている。また、本実施形態では、開口Ａ１は、取付部材３ｂに形成されている。
【００２３】
本実施形態では、本体３ａは、厚さを有した矩形形状の平板である。本体３ａは、天板２の長手方向に沿って延在している。本実施形態では、本体３ａは、当該本体３ａの厚さ方向が奥行方向となるように配置されている。本実施形態では、本体３ａは、天板２の奥側長手方向延在端面ｅ２１に取り付けられている。本実施形態では、本体３ａの手前側厚さ方向面を天板２の奥側長手方向延在端面ｅ２１に対して固定している。本実施形態では、立上部３Ａの長手方向延在面ｆ３は、天板２の上面ｆ２よりも上側に露出した本体３ａの手前側厚さ方向面である。即ち、本実施形態では、立上部３Ａの長手方向延在面ｆ３は、手前側を向いた面である。本実施形態では、立上部３Ａの長手方向延在面ｆ３は、矩形形状の平坦な面である。本実施形態では、立上部３Ａの長手方向延在面ｆ３は、垂直面であることが好ましい。
【００２４】
本体３ａは、例えば、接着剤などを用いた接着によって、若しくは、ねじなどの締結要素を用いた締結によって、又は、これらの組み合わせによって、天板２に取り付けることができる。また、本体３ａは、後述のように、天板２の上面ｆ２に取り付けることができる。天板２及び本体３ａは、例えば、木材、樹脂（例えば、ＦＲＰ：繊維強化プラスチック）、金属（例えば、ステンレス鋼、アルミニウム合金）によって形成することができる。天板２及び本体３ａが樹脂又は金属の場合、立上部３Ａは、天板２と一体に成形することができる。
【００２５】
また、本実施形態では、取付部材３ｂが本体３ａに対して取り付けられている。図２を参照すれば、本実施形態において、本体３ａには、溝Ｇが形成されている。溝Ｇは、本体３ａの長手方向に延在している。溝Ｇは、本体３ａを天板２に取り付けたとき、立上部３Ａの長手方向延在面ｆ３の位置に配置されるように形成されている。即ち、溝Ｇは、立上部３Ａの長手方向延在面ｆ３に形成されている。溝Ｇは、天板２と本体３ａとによって形成された入隅に形成されていることが好ましい。より好ましくは、溝Ｇは、本実施形態のように、溝Ｇの溝底が天板２の上面ｆ２と一致する位置に形成される。
【００２６】
図２に示すように、本実施形態では、取付部材３ｂは、本体３ａに形成された溝Ｇに取り付けられている。取付部材３ｂは、溝Ｇに沿って延在している。本実施形態では、取付部材３ｂは、厚さを有した矩形形状の平板である。取付部材３ｂは、例えば、接着剤などを用いた接着によって、若しくは、溝Ｇに対する圧入によって、又は、これらの組み合わせによって、本体３ａに取り付けることができる。本実施形態では、図２に示すように、溝Ｇは、本体３ａの短手方向延在面（長手方向端面）に至るまで切り欠かれている。この場合、本体３ａに対する溝加工が容易である。ただし、本発明によれば、溝Ｇは、例えば、ルーター加工を用いることによって、本体３ａの短手方向延在面（長手方向端面）を閉じるように形成することができる。
【００２７】
また、本実施形態では、取付部材３ｂには、開口Ａ１が形成されている。本実施形態では、開口Ａ１は、取付部材３ｂの手前側長手方向延在面に開口している。本実施形態では、開口Ａ１の開口形状は、取付部材３ａの長手方向に延在している扁平な形状（例えば、スリット穴）である。ただし、開口Ａ１の開口形状は、丸形状、多角形状とすることができる。開口Ａ１は、奥行方向に延在している。本実施形態では、開口Ａ１は、奥側が閉じられた、所謂、めくら穴である。ただし、開口Ａ１は、取付部材３ｂを手前側から奥側に貫通させた貫通孔とすることができる。
【００２８】
本実施形態では、立上部３Ａは、複数の開口Ａ１を有している。複数の開口Ａ１は、立上部３Ａの長手方向に間隔を置いて配置されている。
【００２９】
本実施形態では、複数の開口Ａ１は、取付部材３ａの長手方向に沿って、等しい間隔で配置することができる。即ち、複数の開口Ａ１は、立上部３Ａの長手方向延在面ｆ３に、当該立上部３Ａの長手方向に沿って、等しい間隔で配置することができる。また、複数の開口Ａ１は、取付部材３ａの長手方向に沿って、不規則な間隔で配置することができる。即ち、複数の開口Ａ１は、立上部３Ａの長手方向延在面ｆ３に、当該立上部３Ａの長手方向に沿って、不規則な間隔で配置することができる。
【００３０】
本実施形態では、複数の開口Ａ１は、複数の開口Ａ１からなる開口群を構成し、当該開口群が、立上部３Ａの長手方向に沿って、間隔を置いて配置されている。即ち、本実施形態では、複数の開口群が、立上部３Ａの長手方向に沿って、間隔を置いて配置されている。本実施形態では、前記開口群を構成する複数の開口Ａ１は、立上部３Ａの長手方向に沿って、等しい間隔で配置されている。また、本実施形態では、前記開口群は、立上部３Ａの長手方向に沿って、等しい間隔で配置されている。ただし、前記開口群を構成する複数の開口Ａ１は、立上部３Ａの長手方向に沿って、不規則な間隔で配置することができる。また、前記開口群は、立上部３Ａの長手方向に沿って、不規則な間隔で配置することができる。
【００３１】
取付部材３ｂは、例えば、金属（例えば、ステンレス鋼、アルミニウム合金）、樹脂（例えば、ＦＲＰ）、木材によって形成することができる。また、開口Ａ１は、取付部材３ｂに対して、例えば、ルーター加工を行うことによって形成することができる。
【００３２】
さらに、図３を参照すれば、仕切板４には、開口Ａ１に挿入可能な突起５ｃが設けられている。
【００３３】
本実施形態では、仕切板付き天板１Ａは、仕切板４を天板２に対して位置決めするための、第１位置決め具５を備えている。本実施形態では、第１位置決め具５は、奥側に配置された奥側位置決め具である。
【００３４】
本実施形態では、突起５ｃは、第１位置決め具５に設けられている。本実施形態では、第１位置決め具５は、ベース５ａと、仕切板４を保持する保持部５ｂと、突起５ｃと、を備えている。
【００３５】
本実施形態では、ベース５ａは、高さ方向に厚さを有する偏平な形状である。図３に示すように、ベース５ａは、天板２の上面ｆ２上に配置することができる。本実施形態では、第１位置決め具５は、ベース５ａの下面に配置された緩衝部材５ｄを備えている。これによって、ベース５ａは、緩衝部材５ｄを介して、天板２の上面ｆ２上に載せ置くことができる。緩衝部材５ｄは、第１位置決め具５と別体に構成することができる。或いは、緩衝部材５ｄは、省略することができる。
【００３６】
保持部５ｂは、ベース５ａの上面に設けられている。図４を参照すれば、本実施形態において、保持部５ｂは、２つの押え板５ｂ１を備えている。仕切板４の奥側下部は、２つの押え板５ｂ１の間に挟み込まれている。これによって、保持部５ｂは、仕切板４が仕切板付き天板１Ａの幅方向に倒れることを防止する。仕切板４は、例えば、圧入、接着又はこれらの組み合わせによって、保持部５ｂに対して固定することができる、ただし、仕切板４は、保持部５ｂに対して着脱させることもできる。また、保持部５ｂは、仕切板４を保持することができる構成であれば、これに限定されない。
【００３７】
突起５ｃは、ベース５ａの長手方向一方端（突起５ｃが開口Ａ１に挿入されたときには、奥側に位置するベース５ａの一端）から当該長手方向一方側（開口Ａ１に挿入されたときの奥側）に突出している。本実施形態において、突起５ｃは、爪のような、高さ方向に厚さを有する偏平な形状である。ただし、突起５ｃの断面形状は、開口Ａ１に抜き差し可能に挿入することができる形状であれば、丸形状、多角形状とすることができる。また、突起５ｃの幅寸法（突起５ｃが開口Ａ１に挿入されたときには、立上部３の長手方向寸法）は、開口Ａ１の高さ方向寸法（開口Ａ１の上下方向寸法）よりも長いことが好ましい。本実施形態では、第１位置決め具５は、２つの突起５ｃを備えている。２つの突起５ｃは、仕切板４の板厚方向（突起５ｃが開口Ａ１に挿入されたときには、立上部３の長手方向）に間隔を置いて配置されている。本実施形態のように、突起５ｃが複数ある場合には、複数の突起５ｃのうちの最も幅方向（突起５ｃが開口Ａ１に挿入されたときには、立上部３の長手方向）外側に位置する、２つの突起５ｃの幅方向外側端の相互間の幅寸法が開口Ａ１の高さ方向寸法よりも長いことが好ましい。ただし、突起５ｃは、少なくとも１つであればよい。なお、本実施形態では、突起５ｃは、ベース５ａと一体に形成されている。
【００３８】
第１位置決め具５は、例えば、金属（例えば、ステンレス鋼、アルミニウム合金）、樹脂（例えば、ＦＲＰ）によって形成することができる。
【００３９】
また、本実施形態では、仕切板付き天板１Ａは、仕切板４を天板２に対して位置決めするための、第２位置決め具６Ａを備えている。本実施形態では、第２位置決め具６Ａは、手前側に配置された手前側位置決め具である。
【００４０】
本実施形態では、第２位置決め具６Ａは、天板２を保持する第１保持部６ａと、仕切板４を保持する第２保持部６ｂと、を備えている。
【００４１】
本実施形態では、第１保持部６ａは、上側部分６ａ１と、下側部分６ａ２と、上側部分６ａ１及び下側部分６ａ２を連結する連結部分６ａ３と、を備えている。上側部分６ａ１と下側部分６ａ２とは、高さ方向（上下方向）に間隔を置いて配置されている。上側部分６ａ１と下側部分６ａ２との間に形成された開口には、天板２を挿入することができる。これによって、例えば、図３に示すように、第１保持部６ａは、上側部分６ａ１と下側部分６ａ２との間に、天板２を挟み込むことができる。
【００４２】
本実施形態では、第２位置決め具６Ａは、上側部分６ａ１の下面に配置された緩衝部材６ｄを備えている。これによって、上側部分６ａ１は、緩衝部材６ｄを介して、天板２の上面ｆ２上に載せ置くことができる。緩衝部材６ｄは、第２位置決め具６と別体に構成することができる。或いは、緩衝部材５ｄは、省略することができる。
【００４３】
また、本実施形態では、第１保持部６ａは、上側部分６ａ１、下側部分６ａ２及び連結部分６ａ３は、一体に形成されている。本実施形態では、第１保持部６ａは、厚さを有する偏平な平板によって形成されている。
【００４４】
さらに、本実施形態では、第２位置決め具６Ａは、締結要素６ｃを備えている。図４を参照すれば、本実施形態では、締結要素６ｃは、ローレットねじである。ローレットねじは、雄ねじが形成されたシャフト６ｃ１と、シャフト６ｃ１に繋がるヘッド６ｃ２とを備えている。ヘッド６ｃ２の外周面には、ローレット加工が施されている。本実施形態では、締結要素６ｃは、第１保持部６ａの下側部分６ａ２に形成されたねじ孔Ａ６にねじ込むことができる。締結要素６ｃが上向きにねじ込まれると、上側部分６ａ１と下側部分６ａとは、天板２を強固に挟み込むことができる。したがって、第１保持部６ａは、締結要素６ｃをねじ込むことによって、例えば、図３に示すように、天板２を強固に保持することができる。
【００４５】
第２保持部６ｂは、第１保持部６ａの上側部分６ａ１の上面に設けられている。図４を参照すれば、本実施形態において、第２保持部６ｂは、２つの押え板６ｂ１を備えている。仕切板４の手前側下部は、２つの押え板６ｂ１の間に挟み込まれている。これによって、保持部６ｂは、仕切板４が仕切板付き天板１Ａの幅方向に倒れることを防止する。仕切板４は、例えば、圧入、接着又はこれらの組み合わせによって、第２保持部６ｂに対して固定することができる、ただし、仕切板４は、第２保持部６ｂに対して着脱させることもできる。また、第２保持部６ｂは、仕切板４を保持することができる構成であれば、これに限定されない。
【００４６】
仕切板４は、アクリル板などの樹脂板、木板、金属板（例えば、ステンレス鋼、アルミニウム合金）によって形成することができる。仕切板４は、透明、半透明又は不透明とすることができる。
【００４７】
次に、テーブル１０Ａを参照して、仕切板付き天板１Ａの仕切板４を天板２に設置する方法及び当該仕切板４を移設する方法について説明する。
【００４８】
図１には、天板２に取り付けられている仕切板４を実線で示し、当該仕切板４を異なる位置に移設する状態を破線で示す。
【００４９】
図４を参照すれば、仕切板４には、第１位置決め具５及び第２位置決め具６Ａが取り付けられている。この仕切板４は、図５に示すように、天板２の所定位置に設置されている。
【００５０】
＜設置手順＞
図５を参照すれば、仕切板４は、例えば、以下の手順で、天板２に設置することができる。
【００５１】
（手順１：第１位置決め具による奥側の仮止め）
仕切板４を設置するにはまず、第１位置決め具５の突起５ｃを立上部３Ａの所望の開口Ａ１に合わせ、仕切板４を奥側に押し込む。これによって、突起５ｃを開口Ａ１に差し込むことができる。これによって、仕切板４は、立上部３Ａを介して天板２の奥側に仮止めすることができる。即ち、仕切板付き天板１Ａによれば、突起５ｃを開口Ａ１に差し込むだけで、基本的に、仕切板４を天板２の上面ｆ２上の任意の位置に設置することができる。ただし、本実施形態ではさらに、以下の手順を踏むことによって、仕切板４を天板２に対してより強固に設置することができる。
【００５２】
（手順２：第２位置決め具による手前側の仮止め）
仕切板付き天板１Ａによれば、突起５ｃを開口Ａ１に差し込む（挿入される）ときに、第２位置決め具６Ａの第１保持部６ａに天板２の外縁部（図５の例では、手前側長手方向延在端面ｅ２２側の外縁部）を挿入させることができる。これによって、仕切板４は、天板２の手前側に仮止めすることができる。ただし、手順２は、手順１を開始した後に、又は、手順１の開始と同時に、行うことができる。
【００５３】
（手順３：第２位置決め具の固定）
手順２（手順１）が完了した後、第２位置決め具６Ａの第１保持部６ａに対して仮止されていた締結要素６ｃを天板２に向かってねじ込む。これによって、第１保持部６ａの上側部分６ａ１及び下側部分６ａ２が天板２を強固に挟み込むことができる。これによって、仕切板４は、例えば、図３に示すように、天板２に対してより強固に設置することができる。
【００５４】
＜移設手順＞
次に、仕切板４は、例えば、以下の手順で、天板２の上面ｆ２上の他の位置に移設することができる。
【００５５】
（手順１：第２位置決め具の解除）
仕切板４を天板２から取り外すときには、締結要素６ｃのねじ込みを緩める。これによって、第１保持部６ａの上側部分６ａ１及び下側部分６ａ２が天板２を挟み込んでいた締結力が弱まる。これによって、第２位置決め具６Ａの固定を解除することができる。
【００５６】
（手順２：第１位置決め具の解除）
第２位置決め具６Ａの固定を解除した後、仕切板４を手前側にずらせば、第１位置決め具５の突起５ｃを立上部３Ａの開口Ａ１から引き抜くことができる。これによって、第２位置決め具６Ａの固定を解除した後、仕切板４を手前側に引っ張れば、仕切板４は、容易に天板２から取り外すことができる。
【００５７】
（手順３：仕切板４の移動）
仕切板４を取り外した後、当該仕切板４を、立上部３Ａの所望の開口Ａ１に合わせて移動させる。ただし、本発明によれば、仕切板４の移動は、天板２から取り外すことなく行うことができる。例えば、上記手順２において、第２位置決め具６Ａの固定を解除した後、仕切板４を手前側にずらせば、仕切板４を、天板２に対して幅方向にスライドさせることができる。これによって、仕切板４を、立上部３Ａの所望の開口Ａ１に合わせて移動させることができる。
【００５８】
（手順４：仕切板４の設置）
上述の＜設置手順＞の手順に従って、仕切板４を新たな所定位置に設置する。これによって、仕切板４は、例えば、図１に示すように、天板２の上面ｆ２上の異なる位置に移設することができる。
【００５９】
仕切板付き天板１によれば、突起５ｃを開口Ａ１に挿入するだけの簡単な操作によって、仕切板４を天板２の上面ｆ２の定位置に位置決めすることができる。これによって、仕切板付き天板１によれば、天板２の上面ｆ２の定位置に、仕切板４を容易に設置することができる。さらに、仕切板付き天板１によれば、開口Ａ１と突起５ｃとを抜き差し可能に挿入させることができる。これによって、仕切板付き天板１によれば、天板２の上面ｆ２の定位置に、仕切板４を容易かつ簡単に移設することができる。
【００６０】
したがって、仕切板付き天板１によれば、天板２の上面ｆ２に対して、容易かつ簡単に仕切板４の設置及び移設が可能な、仕切板付き天板を提供することができる。
【００６１】
また、仕切板付き天板１によれば、開口Ａ１を立上部３Ａに設けたことによって、例えば、天板２の加工、特に当該天板２の上面ｆ２の加工が不要となる。天板２の上面ｆ２の加工が不要となることによって、仕切板付き天板１によれば、天板２の上面ｆ２を効率的に使用しつつ、当該上面ｆ２上の空間を仕切板４によって区画することができる。
【００６２】
さらに、仕切板付き天板１によれば、仕切板４を容易に着脱することができるため、仕切板４と天板２との間の清掃が容易になる。したがって、本実施形態によれば、衛生面においても有利である。
【００６３】
また、例えば、図５を参照すれば、開口Ａ１は、天板２と本体３ａとによって形成された入隅に形成されていることが好ましい。より好ましくは、開口Ａ１は、本実施形態のように、天板２の上面ｆ２により近い高さに形成されることが好ましい。開口Ａ１を入隅に設けた場合、開口Ａ１を目立たなくすることができる。例えば、この場合、開口Ａ１は、目地として、又は、目地の装飾として、視認させることができる。したがって、この場合、美観に優れた仕切板付き天板を提供することができる。
【００６４】
また、本実施形態によれば、立上部３Ａは、複数の開口Ａ１が立上部３の長手方向に間隔を置いて配置されている。この場合、突起５ｃは、仕切板４の設置及び移設は、各開口Ａ１に差し込むことによって行われる。したがって、本実施形態によれば、仕切板４は、定位置において、幅方向に移動することを効果的に抑制することができる。また、本実施形態によれば、複数の開口Ａ１をドット模様の装飾として視認させることができる。
【００６５】
また、本実施形態では、立上部３Ａの開口Ａ１は、本体３ａに対して取り付けられている取付部材３ｂに形成されている。この場合、本体３ａを汎用品として、所望の開口Ａ１が形成された取付部材３ｂを適宜選択することによって、開口Ａ１の形状を容易に変更することができる。
【００６６】
また、本実施形態によれば、第２位置決め具６Ａを設けたことによって、仕切板４を天板の上面ｆ２上において、より強固に位置決めすることができる。特に、本実施形態のように、仕切板４を天板２に対して位置決めするための位置決め具を、第１位置決め具５及び第２位置決め具６の複数に分けた場合、仕切板４の奥行寸法（本実施形態では、短手方向寸法）に関わらず、当該、仕切板４を、天板２の上面ｆ２に対して、より強固に位置決めすることができる。また、第１位置決め具５のみで仕切板４を位置決めしようと、仕切板４の奥行寸法、当該仕切板４の形状などに合わせて、その都度、第１位置決め具５の奥行寸法、形状などを変更する必要が生じる。これに対し、本実施形態のように、前記位置決め具を複数に分けた場合、第１位置決め具５及び第２位置決め具６の寸法を、再加工などによって変更する必要がない。第１位置決め具５及び第２位置決め具６の形状変更が生じる場合も、その形状変更を最小限に抑えることができる。
【００６７】
ところで、上述した第２位置決め具６Ａは、第２位置決め具６の第１の例である。第２位置決め具６Ａは、ねじ着脱方式である。第２位置決め具６には、他の例として、例えば、以下に説明するものが挙げられる。
【００６８】
図６には、本発明の第２実施形態に係る仕切板付き天板１Ｂを示す。仕切板付き天板１Ｂは、第２位置決め具６の第２の例として、磁石着脱方式の第２位置決め具６Ｂを採用している。第２位置決め具６Ｂは、締結要素６ｃに代えて、磁石６ｍと、金属材６ｆとを使用している。仕切板付き天板１Ｂを構成しているその他の部分は、仕切板付き天板１Ａと同様である。
【００６９】
本実施形態では、磁石６ｍは、第１保持部６ａの下側部分６ａ２の上面に取り付けられている。本実施形態では、磁石６ｍは、下側部分６ａ２に設けられた窪みＣ６に配置されている。磁石６ｍは、例えば、接着によって下側部分６ａ２に固定されている。図７には、仕切板付き天板１Ｂから、天板２及び立上部３Ａを取り外した状態を示す。磁石６ｍとしては、例えば、ネオジム磁石を採用することができる。
【００７０】
また、本実施形態では、金属材６ｆは、図６に示すように、天板２の下面に取り付けられている。本実施形態では、金属材６ｆは、厚みを有した矩形形状の平板である。また、本実施形態では、金属材６ｆは、図８に示すように、天板２の長手方向に延在している。金属材６ｆは、例えば、接着によって、ねじなどの締結要素によって、又は、これらの組み合わせによって、天板２の下面に固定されている。金属材６ｆとしては、例えば、ステンレス鋼が挙げられる。
【００７１】
本実施形態では、第２位置決め具６Ｂは、当該第２位置決め具６Ｂに設けた磁石６ｍと、天板２に設けた金属材６ｆとの間に生じる磁力によって、天板２に対して強固に固定することができる。これによって、仕切板４は、例えば、図６に示すように、天板２に対してより強固に設置することができる。また、例えば、図８に示すような設置状態から、仕切板４を磁石６ｍと金属材６ｆとの間の磁力に抗して手前側にずらせば、第１位置決め具５ととともに第２位置決め具６Ｂを解除することができる。この場合、仕切板付き天板１Ａのように、締結要素６ｃを操作することなく、仕切板４の設置及び移設を行うことができる。なお、本発明によれば、磁石６ｍと金属材６ｆとは、それぞれ、天板２と第２位置決め具６とに設けることができる。
【００７２】
図９には、本発明の第３実施形態に係る仕切板付き天板１Ｃを示す。仕切板付き天板１Ｃは、第２位置決め具６の第３の例として、凹凸着脱方式の第２位置決め具６Ｃを採用している。第２位置決め具６Ｃは、磁石６ｍと金属材６ｆとの組み合わせに代えて、凹部Ｎと凸部Ｐとの組み合わせを使用している。仕切板付き天板１Ｂを構成しているその他の部分は、仕切板付き天板１Ａと同様である。
【００７３】
本実施形態では、凸部Ｐは、第１保持部６ａの下側部分６ａ２の上面に設けられている。本実施形態では、凸部Ｐは、下側部分６ａ２の一部を凸部形状に形作ることによって形成されている。図１０には、仕切板付き天板１Ｃから、天板２及び立上部３Ａを取り外した状態を示す。凸部Ｐは、天板２の長手方向に延在している。
【００７４】
また、本実施形態では、凹部Ｎは、図９に示すように、天板２の下面に設けられている。本実施形態では、凹部Ｎは、天板２の下面に形成された溝である。また、本実施形態では、凹部Ｎは、図１１に示すように、天板２の長手方向に延在している。凸部Ｐと凹部Ｎとは、第２位置決め具６Ｃを天板２に取り付けたときに嵌合させることができる。
【００７５】
本実施形態では、図１１に示すように、第２位置決め具６Ｃは、当該第２位置決め具６Ｃの上側部分６ａ１と下側部分６ａ２との間に天板２を挟み込むことができる。また、本実施形態では、図１１に示すように、第２位置決め具６Ｃは、当該第２位置決め具６Ｃに設けた凸部Ｐと、天板２に設けた凹部Ｎとを嵌合させることができる。これによって、仕切板４は、例えば、天板２に対して奥行方向に外れることなく設置することができる。また、仕切板４を凸部Ｐと凹部Ｎとの嵌合力に抗して手前側にずらせば、凸部Ｐと凹部Ｎとの嵌合が解除されることによって、第１位置決め具５ととともに第２位置決め具６Ｂを解除することができる。この場合も、仕切板付き天板１Ａのように、締結要素６ｃを操作することなく、仕切板４の設置及び移設を行うことができる。なお、本発明によれば、凸部Ｐと凹部Ｎとは、それぞれ、天板２と第２位置決め具６とに設けることができる。
【００７６】
本発明によれば、凹部Ｎと凸部Ｐとは、第２位置決め具６Ｃが天板２に対して奥行方向にずらせるように、当該奥行方向に遊びを設けることができる。凸部Ｐと凹部Ｎとに奥行方向に遊びを設ければ、凸部Ｐと凹部Ｎとの嵌合を解除することなく、突起５ｃを開口Ａ１から引き抜くことができる。この場合、仕切板４を手前側にずらして突起５ｃを開口Ａ１から引き抜いた後、仕切板４を凹部Ｎに沿って幅方向にスライドさせることができる。
【００７７】
また、上述した各実施形態に係る立上部３Ａは、立上部３の第１の例である。立上部３Ａは、立上部３の長手方向延在面ｆ３の一方にのみ、開口Ａ１が形成されている。立上部３には、他の例として、例えば、以下に説明するものが挙げられる。
【００７８】
図１２には、本発明の第４実施形態に係る仕切板付き天板１Ｄが採用されたテーブル１０Ｂを示す。
【００７９】
テーブル１０Ｂは、対面式のテーブルである。仕切板付き天板１Ｄでは、立上部３Ｂを天板２の上面ｆ２に配置しているとともに、立上部３Ｂに仕切板８を設けている。これによって、天板２の上面ｆ２には、仕切板８によって手前側と奥側とに区画された上部空間を形成することができる。さらに、仕切板付き天板１Ｄは、立上部３の第２の例である、立上部３Ｂを備えている。立上部３Ｂでは、開口Ａ１は、立上部３Ｂの手前側長手方向延在面ｆ３と、奥側長手方向延在面ｆ３とのそれぞれに設けられている。これによって、本実施形態ではさらに、手前側と奥側とのそれぞれに、天板２の長手方向を区画する仕切板４を配置することができる。これによって、天板２の上面ｆ２には、仕切板６によって手前側と奥側とにそれぞれ、天板２の長手方向に区画された上部空間を形成することができる。特に、本実施形態によれば、手前側の仕切板４の位置と、奥側の仕切板４の位置とを変更することによって、手前側の人間と奥側の人間とが仕切板８を挟んで対面しないように、天板２の長手方向に区画された上部空間を仕切ることができる。
【００８０】
また、上述した各実施形態に係る立上部３Ａ，３Ｂは、取付部材３ｂに複数に開口Ａ１が形成されている。立上部３には、他の例として、例えば、以下に説明するものが挙げられる。
【００８１】
図１３には、第３実施例の立上部３Ｃ示す。立上部３Ｃは、１つの開口Ａ２を有している。当該１つの開口Ａ２は、立上部３Ｃの長手方向に延在している。この例では、開口Ａ２は、取付部材３ｂの手前側長手方向延在面に開口している。本実施形態では、開口Ａ１の開口形状は、取付部材３ａの長手方向に延在している扁平な形状（例えば、スリット穴）である。開口Ａ１は、奥行方向に延在している。本実施形態では、取付部材３ｂの手前側長手方向延在面に開口している断面コの字形の部材である。
【００８２】
本実施形態によれば、開口Ａ２が幅方向（立上部３Ｃの長手方向）に連続的に設けられていることから、他の実施形態のように、開口が立上部３Ｃの長手方向に断続的に設けられている場合よりも、突起５ｃを開口Ａ２に対してより自由な位置で差し込むことができる。したがって、本実施形態によれば、仕切板４を、立上部３の長手方向に対してより自由な位置に位置決めすることができる。なお、本実施形態では、図１３に示すように、取付部材３ａを取り付けるための溝Ｇは、本体３ａの短手方向延在面（長手方向端面）に至るまで切り欠かれている。ただし、本発明によれば、溝Ｇは、他の実施形態と同様、本体３ａの短手方向延在面（長手方向端面）を閉じるように形成することができる。
【００８３】
図１４には、第４の例の立上部３Ｄを示す。この例では、立上部３Ｄは、１つ（単一）の部材によって形成されており、当該１つの部材に複数の開口Ａ１が形成されている。具体的には、立上部３Ｄは、本体３ａのみの単一の部材によって形成されている。開口Ａ１は、本体３ａの手前側長手方向延在面に形成されている。即ち、開口Ａ１は、単一の部材からなる立上部３Ｄの手前側長手方向延在面ｆ３に直接形成されている。
【００８４】
本実施形態によれば、開口Ａ１が立上部３Ｄに形成されていることにより、他の実施形態のように、取付部材３ｂを用いる必要がない。したがって、本実施形態によれば、仕切板付き天板を構成する部品の部品点数を削減することができる。また、本実施形態によれば、立上部３Ｄに直接、開口Ａ１を形成することができるため、既存の立上部（部品としての、既製品の立上部、既に設置されている天板に設けられている立上部との両方を含む。）を用いることによって、仕切板付き天板１を容易かつ安価に提供することができる。また、この場合、開口Ａ１を天板２の上面ｆ２と一致する位置に形成することができる。
【００８５】
上述したところは、本発明の例示的な実施形態を説明したものであり、特許請求の範囲を逸脱しない範囲で様々な変更を行うことができる。
【００８６】
例えば、上述した各実施形態において、突起５ｃは、第１位置決め具５に設けたが、仕切板４と一体に形成することができる。この場合、突起５ｃが設けられた仕切板４には、突起５ｃ以外の部分について、第１位置決め具５と同様の機能を持たせることが好ましい。
【００８７】
また、上述の取付部材３ｂを備えた各実施形態では、取付部材３ｂの長手方向延在面は、本体３ａの長手方向延在面と同一の面となるように取り付けることによって、本体３ａの長手方向延在面とともに平坦な面を形成することが好ましい。又は、本実施形態では、取付部材３ｂの長手方向延在面は、本体３ａの長手方向延在面よりも窪ませるように取り付けることによって、本体３ａの長手方向延在面とともに段差面を形成することができる。さらに、取付部材３ｂの長手方向延在面は、本体３ａの長手方向延在面から突出させるように取り付けることによって、本体３ａの長手方向延在面とともに段差面を形成することもできる。
【００８８】
また、仕切板４は、天板２の上面ｆ２に、少なくとも１つ配置されていればよい。さらに、上述した各実施形態に採用された様々な構成は、適宜、相互に置き換えることができ、又は、組み合わせることができる。
【００８９】
また、仕切板付き天板１は、飲食台に限定されるものではない。天板２は、事務作業、工作作業などに用いられる作業台、棚台とすることができる。また、棚台に棚板が複数ある場合、天板２は、最上部にある棚板以外の、棚板も含まれる。
【００９０】
また、仕切板付き天板を製造するための方法としては、例えば、天板（２）に対して起立している立上部３に開口（Ａ１，Ａ２）を設ける工程と、前記開口（Ａ１，Ａ２）に挿入可能な突起（５ｃ）を仕切板（４）に設ける工程と、を含む、仕切板付き天板の製造方法が挙げられる。前記仕切板付き天板の製造方法には、前記突起（５ｃ）を前記開口（Ａ１，Ａ２）に挿入する工程を含むことが好ましい。前記開口（Ａ１，Ａ２）を設ける前記工程は、前記立上部（３）に前記開口（Ａ１，Ａ２）を形成する工程とすることができる。或いは、前記開口（Ａ１，Ａ２）を設ける前記工程は、前記開口（Ａ１，Ａ２）が形成された取付部材（３ｂ）を前記立上部（３）の本体（３ａ）に取り付ける工程とすることができる。さらに、前記突起（５ｃ）を前記仕切板（４）に設ける前記工程は、前記突起（５ｃ）を備えた位置決め具（５）を前記仕切板（４）に取り付ける工程とすることができる。或いは、前記突起（５ｃ）を前記仕切板（４）に設ける前記工程は、前記突起（５ｃ）を前記仕切板（４）に一体に成形する工程とすることができる。
【符号の説明】
【００９１】
１：仕切板付き天板，  １Ａ：仕切板付き天板（第１実施形態），  １Ｂ：仕切板付き天板（第２実施形態），  １Ｃ：仕切板付き天板（第３実施形態），  １Ｄ：仕切板付き天板（第４実施形態），  ２：天板，  ３：立上部，  ３Ａ：立上部（第１実施例），  ３Ｂ：立上部（第２実施例），  ３Ｃ：立上部（第３実施例），  ３Ｄ：立上部（第４実施例），  ３ａ：本体，  ３ｂ：取付部材，  ４：仕切板，  ５：第１位置決め具，  ５ａ：ベース，  ５ｂ：，（仕切板）保持部，  ５ｂ１：押え板，  ５ｃ：突起，  ５ｄ：緩衝部材，  ６：第２位置決め具，  ６Ａ：第２位置決め具（第１実施例），  ６Ｂ：第２位置決め具（第２実施例），    ６Ｃ：第２位置決め具（第３実施例），  ６ａ：第１保持部（天板保持部），  ６ａ１：上側部分，  ６ａ２：下側部分，  ６ａ３：連結部分，  ６ｂ：（仕切板）保持部，  ６ｂ１：押え板，  ６ｃ：締結要素，  ６ｃ１：，シャフト，  ６ｃ２：ヘッド，  ６ｆ：金属材，  ６ｍ：磁石，  ８：仕切板，  １０Ａ：テーブル，  １０Ｂ：（対面）テーブル，  Ａ１、Ａ２：開口，  Ｃ６：窪み，  ｅ２１：天板の長手方向延在端面，  ｅ２２：天板の短手方向延在端面，  １１：脚，  ｆ２：天板の上面，  ｆ３：，  立上部の長手方向延在面，  Ｇ：溝，  Ｎ：凹部，  Ｐ：凸部，
【要約】      （修正有）【課題】天板に対して容易に、仕切板の設置及び移設が可能な、仕切板付き天板を提供する。【解決手段】仕切板付き天板１Ａは、天板２と、天板２に対して起立している立上部３と、天板２の上方空間を区画する仕切板４と、を備えている。立上部３は、当該立上部３の長手方向延在面ｆ３に、少なくとも１つの開口Ａ１を有している。仕切板４には、開口Ａ１に挿入可能な突起５ｃが設けられている。【選択図】図５【図１】
0006892959.tif 000002
【図２】
0006892959.tif 000003
【図３】
0006892959.tif 000004
【図４】
0006892959.tif 000005
【図５】
0006892959.tif 000006
【図６】
0006892959.tif 000007
【図７】
0006892959.tif 000008
【図８】
0006892959.tif 000009
【図９】
0006892959.tif 000010
【図１０】
0006892959.tif 000011
【図１１】
0006892959.tif 000012
【図１２】
0006892959.tif 000013
【図１３】
0006892959.tif 000014
【図１４】
0006892959.tif 000015